【手続補正書】
【提出日】平成27年2月9日(2015.2.9)
【手続補正１】
【補正対象書類名】明細書
【補正対象項目名】００４３
【補正方法】変更
【補正の内容】
【００４３】
次に、上述の血液改質剤を詳細に説明する。血液改質剤は、血液改質剤は、約０．００〜約０．６０のＩＯＢと、約４５℃以下の融点と、２５℃の水１００ｇに対する、約０．００〜約０．０５ｇの水溶解度とを有する。
【手続補正２】
【補正対象書類名】明細書
【補正対象項目名】０２２０
【補正方法】変更
【補正の内容】
【０２２０】
［例６］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。測定は、機器が自動で行うが、表面張力γは、以下の式により求められる（図１６を参照）。
【手続補正３】
【補正対象書類名】特許請求の範囲
【補正対象項目名】全文
【補正方法】変更
【補正の内容】
【特許請求の範囲】
【請求項１】
長手方向および幅方向を有し、本体部と該本体部の両側縁から幅方向に延出した一対のウイング部とを含み、前記本体部は、肌側に設けられた液透過性の不織布のトップシート、着衣側に設けられた液不透過性のバックシートおよび該トップシートと該バックシートとの間に設けられた液保持性の吸収体を備えた吸収性物品であって、
前記トップシートは、肌側の面における少なくとも着用者の排泄口に当接する排泄口当接域に突部を備え、
前記トップシートは、少なくとも前記排泄口当接域に、所定の組成物が塗布された組成物塗布領域をさらに備え、
前記組成物が、０．００〜０．６０のＩＯＢと、４５℃以下の融点と、２５℃の水１００ｇに対する、０．００〜０．０５ｇの水溶解度とを有する血液改質剤である、吸収性物品。
【請求項２】
前記突部は、所定の方向に延在し、該所定方向に交差する方向に並ぶ突部および凹部を含む、請求項１に記載の吸収性物品。
【請求項３】
前記突部は、前記トップシートのウェブに気体を噴射することにより形成された、請求項２に記載の吸収性物品。
【請求項４】
前記突部の中央部の繊維密度は、前記突部の側部の繊維密度および／または前記凹部の繊維密度よりも低い、請求項３に記載の吸収性物品。
【請求項５】
前記突部は、前記トップシートの不織布を折り曲げることにより形成された、請求項２に記載の吸収性物品。
【請求項６】
前記トップシートの凹部は、開口部を有し、
前記開口部の側面の繊維密度は、前記突部の中央部の繊維密度よりも高い、請求項３〜５のいずれか１項に記載の吸収性物品。
【請求項７】
長手方向および幅方向を有し、本体部と該本体部の両側縁から幅方向に延出した一対のウイング部とを含み、前記本体部は、肌側に設けられた液透過性の不織布のトップシート、着衣側に設けられた液不透過性のバックシートおよび該トップシートと該バックシートとの間に設けられた液保持性の吸収体を備えた吸収性物品であって、
前記トップシートから前記吸収体の内部に至る、エンボス加工により形成された圧縮部を、肌側の面における少なくとも着用者の排泄口に当接する排泄口当接域に備え、
前記トップシートは、少なくとも前記排泄口当接域に、所定の組成物が塗布された組成物塗布領域を備え、
前記組成物が、０．００〜０．６０のＩＯＢと、４５℃以下の融点と、２５℃の水１００ｇに対する、０．００〜０．０５ｇの水溶解度とを有する血液改質剤である、吸収性物品。
【請求項８】
前記組成物塗布領域は、前記一対のウイング部の幅方向外側の縁がお互いに接するように前記一対のウイング部を幅方向内側に折り畳んだとき、前記一対のウイング部によって覆い隠される範囲内に設けられている、請求項１〜７のいずれか１項に記載の吸収性物品。
【請求項９】
前記ウイング部は、肌側の面に突部を有する、請求項１〜８のいずれか１項に記載の吸収性物品。
【請求項１０】
前記血液改質剤が、次の（ｉ）〜（ｉｉｉ）、
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）およびオキシ基（−Ｏ−）から成る群から選択される、一または複数の、同一または異なる基とを有する化合物、および
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）およびオキシ基（−Ｏ−）から成る群から選択される、一または複数の、同一または異なる基と、（ｉｉｉ−３）前記炭化水素部分の水素原子を置換する、カルボキシル基（−ＣＯＯＨ）およびヒドロキシル基（−ＯＨ）から成る群から選択される、一または複数の、同一または異なる基とを有する化合物、
ならびにそれらの任意の組み合わせから成る群から選択され、
ここで、（ｉｉ）または（ｉｉｉ）の化合物において、オキシ基が２つ以上挿入されている場合には、各オキシ基は隣接していない、請求項１〜９のいずれか１項に記載の吸収性物品。
【請求項１１】
前記血液改質剤が、次の（ｉ’）〜（ｉｉｉ’）、
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、およびエーテル結合（−Ｏ−）から成る群から選択される、一または複数の、同一または異なる結合とを有する化合物、および
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、およびエーテル結合（−Ｏ−）から成る群から選択される、一または複数の、同一または異なる結合と、（ｉｉｉ’−３）前記炭化水素部分の水素原子を置換する、カルボキシル基（−ＣＯＯＨ）およびヒドロキシル基（−ＯＨ）から成る群から選択される、一または複数の、同一または異なる基とを有する化合物、
ならびにそれらの任意の組み合わせから成る群から選択され、
ここで、（ｉｉ’）または（ｉｉｉ’）の化合物において、２以上の同一または異なる結合が挿入されている場合には、各結合は隣接していない、請求項１〜１０のいずれか１項に記載の吸収性物品。
【請求項１２】
前記血液改質剤が、次の（Ａ）〜（Ｆ）、
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸またはオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つの結合とを有する化合物、
（Ｅ）ポリオキシＣ2〜Ｃ6アルキレングリコール、またはそのアルキルエステルもしくはアルキルエーテル、および
（Ｆ）鎖状炭化水素、
ならびにそれらの任意の組み合わせから成る群から選択される、請求項１〜１１のいずれか１項に記載の吸収性物品。
【請求項１３】
前記血液改質剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸またはオキソ酸と、少なくとも１の脂肪族１価アルコールとのエステル、（ｃ2）３個のカルボキシル基を有する鎖状炭化水素トリカルボン酸、ヒドロキシ酸、アルコキシ酸またはオキソ酸と、少なくとも１の脂肪族１価アルコールとのエステル、（ｃ3）２個のカルボキシル基を有する鎖状炭化水素ジカルボン酸、ヒドロキシ酸、アルコキシ酸またはオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ2〜Ｃ6アルキレングリコール、（ｅ2）ポリオキシＣ2〜Ｃ6アルキレングリコールと少なくとも１の脂肪酸とのエステル、（ｅ3）ポリオキシＣ2〜Ｃ6アルキレングリコールと少なくとも１の脂肪族１価アルコールとのエーテル、（ｅ4）ポリオキシＣ2〜Ｃ6アルキレングリコールと、鎖状炭化水素テトラカルボン酸、鎖状炭化水素トリカルボン酸、または鎖状炭化水素ジカルボン酸とのエステル、（ｅ5）ポリオキシＣ2〜Ｃ6アルキレングリコールと、鎖状炭化水素テトラオール、鎖状炭化水素トリオール、または鎖状炭化水素ジオールとのエーテル、および（ｆ1）鎖状アルカン、ならびにそれらの任意の組み合わせから成る群から選択される、請求項１〜１２のいずれか１項に記載の吸収性物品。